(57)【要約】【課題】本発明は、液中の、無染色の、非固定の生物試料を高分解能で光学観察可能な近接場光学観察装置、試料含有環境セル作製方法,走査電子光学顕微鏡及び走査電子光学顕微鏡の使用方法を提供することを課題とする。【解決手段】試料を密封保持可能な空間部と、前記空間部の一方に設けられた入射窓と、前記空間部の他方に設けられた出射窓とを備えた環境セル１２と、発光測定モジュール１３とを有し、前記入射窓が電子線励起により発光可能な発光材料を有している近接場光学観察装置１１を用いることによって前記課題を解決できる。【選択図】図１
2015031515.tif 000002
【特許請求の範囲】
【請求項１】
試料を密封保持可能な空間部と、前記空間部の一方に設けられた入射窓と、前記空間部の他方に設けられた出射窓とを備えた環境セルと、発光測定モジュールとを有し、
前記入射窓が電子線励起により発光可能な発光材料を有していることを特徴とする近接場光学観察装置。
【請求項２】
前記入射窓に接するようにフレーム部が設けられていることを特徴とする請求項１に記載の近接場光学観察装置。
【請求項３】
前記フレーム部に一面側と他面側を連通するように孔部が形成されていることを特徴とする請求項２に記載の近接場光学観察装置。
【請求項４】
前記フレーム部の一面側に前記入射窓が設けられていることを特徴とする請求項３に記載の近接場光学観察装置。
【請求項５】
前記孔部が前記空間部の一部であることを特徴とする請求項３又は４に記載の近接場光学観察装置。
【請求項６】
前記フレーム部の他面側に前記入射窓が設けられていることを特徴とする請求項３に記載の近接場光学観察装置。
【請求項７】
前記フレーム部の他面側に又は前記他面側に離間して出射窓が設けられていることを特徴とする請求項１〜６のいずれか１項に記載の近接場光学観察装置。
【請求項８】
前記フレーム部の一面側と他面側を連通する前記孔部が、入射窓側から出射窓側に向けて広がるよう形成されていることを特徴とする請求項３に記載の近接場光学観察装置。
【請求項９】
前記孔部に面する前記フレーム部の壁面が光反射性の高い材料で被覆されていることを特徴とする請求項８に記載の近接場光学観察装置。
【請求項１０】
前記入射窓が、２層以上で形成されており、高強度材料からなる構造層と、前記構造層に積層され、電子線励起により発光可能な発光材料を有している発光層と、を有していることを特徴とする請求項１〜９のいずれか１項に記載の近接場光学観察装置。
【請求項１１】
前記発光層自体が、電子線励起により発光可能な発光材料からなることを特徴とする請求項１０に記載の近接場光学観察装置。
【請求項１２】
前記発光層が、前記発光材料に電子線励起により発光可能な別の発光材料が添加されて形成されていることを特徴とする請求項１１に記載の近接場光学観察装置。
【請求項１３】
前記構造層が、ＳｉＮ、ＳｉＯ２、ＳｉＣ，Ｓｉ、ポリイミド、パリレン、カーボン、コロジオン、フォルムバール、トリアセチルセルロースのいずれかの高強度材料からなるメンブレンであることを特徴とする請求項１０〜１２のいずれか１項に記載の近接場光学観察装置。
【請求項１４】
前記入射窓の膜厚が、５ｎｍ以上５００ｎｍ以下であることを特徴とする請求項１〜１３のいずれか１項に記載の近接場光学観察装置。
【請求項１５】
前記出射窓が、ガラス、ポリエステル、ポリイミド、ＳｉＮ、ＳｉＯ２、ＳｉＣ，Ｓｉ、パリレン、カーボン、コロジオン、フォルムバール、トリアセチルセルロースのいずれかの材料からなることを特徴とする請求項１〜１４のいずれか１項に記載の近接場光学観察装置。
【請求項１６】
前記入射窓が複数設けられていることを特徴とする請求項１〜１５のいずれか１項に記載の近接場光学観察装置。
【請求項１７】
前記発光測定モジュールが、前記環境セルの出射窓側に配置されていることを特徴とする請求項１〜１６のいずれか１項に記載の近接場光学観察装置。
【請求項１８】
前記発光測定モジュールが、前記環境セルと離間して配置されており、前記環境セルの出射窓側と前記発光測定モジュールの光電面とを結ぶ光路システムが設けられていることを特徴とする請求項１〜１６のいずれか１項に記載の近接場光学観察装置。
【請求項１９】
前記光路システムが、レンズと、ミラーと、光ファイバの群から選択される二以上の光部品を組み合わせて形成されていることを特徴とする請求項１８に記載の近接場光学観察装置。
【請求項２０】
前記発光測定モジュールが光電子倍増管を有するモジュール、分光測定システム、多波長発光測定モジュールのいずれかであることを特徴とする請求項１〜１９のいずれか１項に記載の近接場光学観察装置。
【請求項２１】
一面側と他面側を連通する孔部を有するフレーム部の一面側または他面側に入射窓を設けた第１の基板を用意し、前記入射窓の他面側に試料を付着させてから、前記試料を覆うように充填媒体を滴下する工程と、
出射窓を有する第２の基板を用意し、前記出射窓を覆うように充填媒体を滴下する工程と、
前記第１の基板と前記第２の基板を充填媒体が混じり合うように重ね合わせる工程とを有することを特徴とする試料含有環境セル作製方法。
【請求項２２】
充填媒体を滴下する工程の前工程として、高強度材料からなる構造層上に発光層をドロップ・コーティングして、入射窓を形成することを特徴とする請求項２１に記載の試料含有環境セル作製方法。
【請求項２３】
重ね合わせる工程で、第１の基板又は第２の基板に設けられた充填媒体排出用孔部から、余分な充填媒体を排出・除去してから、前記充填媒体排出用孔部の充填媒体排出側に設けられた封止シールに別の封止シールを重ねて接着することを特徴とする請求項２１又は２２に記載の試料含有環境セル作製方法。
【請求項２４】
重ね合わせる工程後、第１の基板と第２の基板を第３の基板にねじ止め固定することを特徴とする請求項２１〜２３のいずれか１項に記載の試料含有環境セル作製方法。
【請求項２５】
請求項１〜２０のいずれか１項に記載の近接場光学観察装置と、電子顕微鏡とを有することを特徴とする走査電子光学顕微鏡。
【請求項２６】
前記近接場光学観察装置が、電子顕微鏡の真空槽内に配置されていることを特徴とする請求項２５に記載の走査電子光学顕微鏡。
【請求項２７】
前記近接場光学観察装置の環境セルが、環境セル保持部に保持されており、前記近接場光学観察装置の発光測定モジュールが、保持部に保持されており、前記保持部に対して前記環境セル保持部の位置合わせ移動機構が備えられていることを特徴とする請求項２５又は２６に記載の走査電子光学顕微鏡。
【請求項２８】
前記位置合わせ移動機構により、前記保持部から前記環境セル保持部を取り外して、電子顕微鏡の真空槽に接続された別の真空槽に移動可能であることを特徴とする請求項２７に記載の走査電子光学顕微鏡。
【請求項２９】
請求項２４〜２８のいずれか１項に記載の走査電子光学顕微鏡の使用方法であって、環境セルの入射窓の電子線透過率が１％以下となるエネルギーの電子線を環境セルの入射窓に照射することを特徴とする走査電子光学顕微鏡の使用方法。
【請求項３０】
０．８ｋＶ以上１．２ｋＶ以下のエネルギーの電子線を環境セルの入射窓に照射することを特徴とする請求項２９に記載の走査電子光学顕微鏡の使用方法。
【発明の詳細な説明】
【技術分野】
【０００１】
本発明は、近接場光学観察装置、試料含有環境セル作製方法、走査電子光学顕微鏡及び走査電子光学顕微鏡の使用方法に関するものである。
【背景技術】
【０００２】
光学顕微鏡は、様々な環境下での様々な対象物の多用な情報を含んだ画像を提供でき、特に生物学において重要な役割を果たしてきた。
光学顕微鏡には、例えば、位相差顕微鏡や蛍光顕微鏡がある。位相差顕微鏡は、液中の生きたままの細胞を染色せずに観察することができる。蛍光顕微鏡は、特定の分子や組織だけを可視化でき、多くの生物学的な発見を生み出してきた。しかし、これらの光学顕微鏡の画像分解能は、回折限界により制限されている。
光学顕微鏡の分野においては、次に示す新しい技術が積極的に開発されている。
【０００３】
＜光学顕微鏡の動向：（１）近接場光学顕微鏡＞
光学顕微鏡においては、レンズを用いずに、先端を細く尖らせた光ファイバの外周を金属で遮光コーティングし、先端だけに微小な開口を設けた光ファイバプローブを機械的に走査して、対象物の表面の光学特性を画像化する近接場光学顕微鏡（Ｓｃａｎｎｉｎｇ  Ｎｅａｒ−ｆｉｅｌｄ  Ｏｐｔｉｃａｌ  Ｍｉｃｒｏｓｃｏｐｙ：ＳＮＯＭと略記する。）が回折限界の壁を破り、今では、ナノ構造における光の局在の様子を観察する一般的な手法として確立している。
【０００４】
しかし、液中ではプローブと対象物間の距離制御が困難なために液中の細胞への応用事例は限らており、また、たいていの場合、対象物を蛍光染色して観察している。近接場光学顕微鏡技術の一種であるチップ増強ラマン散乱法は染色を必要としない独特の手法として期待されているが、生物試料への応用はまだ始まったばかりで、事例がほとんどない。
【０００５】
＜光学顕微鏡の動向：（２）遠方場ナノ分解能蛍光光学顕微鏡＞
この１０年ほどの間に、蛍光の非線形性や、単一分子検出を利用する、様々な遠方場ナノ分解能蛍光光学顕微鏡（Ｏｐｔｉｃａｌ  ｆａｒ−ｆｉｅｌｄ  ｆｌｕｏｒｅｓｃｅｎｃｅ  ｎａｎｏｓｃｏｐｙ）が開発され、レンズを用いた伝統的な光学系で液中の生きた細胞を３次元的に、かつ、回折限界を超えた超解像観察することが可能となった。
【０００６】
しかし、これらの手法は原理的に蛍光染色を必要とする。これらに準ずる手法で、無染色の生きた細胞をどのようにして観察するかは今後の重要な研究課題とされている。
【０００７】
一方、電子顕微鏡は、光学顕微鏡の分解能の壁をはるかに超える分解能をもたらした。
しかし、電子顕微鏡では、試料を真空環境下に置かねばならないため、水中の生きた細胞の観察が困難となる。例えば、対象物の自然の状態を維持するために、光学顕微鏡では必要なかったような複雑な試料作製技術が必要となった。更に、光学顕微鏡において重要な情報をもたらした蛍光、光吸収、屈折率などの情報も失われた。
電子顕微鏡の分野においても、次に示す新しい技術が積極的に開発されている。
【０００８】
＜電子顕微鏡の動向：（１）電子線による光学的情報の観察＞
電子顕微鏡においては、電子線により光学的な特性を観察する手法が開発されてきた。電子線により励起された発光を検出するカソードルミネッセンス法（ＣＬ，電子線発光法）はその代表例で、染色あるいは無染色の生物試料（ただし、真空下に置かれた乾燥した死んだ状態に限る）の観察に古くから利用されてきた。
【０００９】
微小な分子や粒子を観察したい特定の分子や組織に化学的に結合して利用し、電子線で発光する発光マーカーの開発は今も進められている。
真空中に曝しても問題のない非生物試料に対しては、その他にも様々な電子顕微鏡技術が、種々の光学的特性を観察するために利用され、ナノフォトニクスの分野では一般的になっている。
【００１０】
＜電子顕微鏡の動向：（２）環境セルの開発＞
電子顕微鏡技術におけるもう一つの特筆すべき進展が、環境セルの開発である。
液中の、無染色の、非固定の生物試料の観察は、電子顕微鏡の歴史の初期の頃からの重要課題であったが、この１０年間の進歩は目覚ましいものであった。なお、非固定の生物試料とは、殺していない生物試料、すなわち、生きている生物試料のことである。
薄い膜により試料を取り囲む領域を真空環境と遮断する環境セルを用いて、透過電子顕微鏡（ＴＥＭ）、走査透過電子顕微鏡（ＳＴＥＭ）、走査電子顕微鏡（ＳＥＭ）で、透過電子、散乱電子、あるいはＣＬを検出することにより、液中の物体の観察に成功した事例が多数報告された。
【００１１】
非特許文献３には、２枚のＳｉ基板の間に、ＳｉＮメンブレン、スペーサー、ＳｉＮメンブレンをこの順序で挟み込み、かつ、スペーサーにより設けられた空間部内に細胞をＡｕ粒子等とともに配置する構成を具備するＳＴＥＭ用の環境セルが記載されている。高密度電子線を貫通させ、散乱電子を測定する構成なので、光学顕微鏡ではない。また、細胞を試料とすると測定により、死滅する。また、一般に無染色の細胞ではコントラストが得られないので、細胞をＡｕ粒子にて標識して、Ａｕ粒子のみを観測する構成である。
非特許文献４には、２枚のＳｉ基板の間に、ＳｉＯ２（９ｎｍ）、スペーサー（Ｅｐｏｘｙ）、ＳｉＯ２（９ｎｍ）をこの順序で挟み込み、かつ、スペーサーにより設けられた空間部内に細胞を配置する構成を具備するＴＥＭ用の環境セルが記載されている。低密度電子線を貫通させ、透過電子像を投影する構成なので、光学顕微鏡ではない。
【００１２】
特許文献４及び非特許文献５には、電子線側基板、光ファイバがこの順序で配置されており、かつ、電子線側基板と光ファイバとの間に設けられた空間部内に細胞を配置する構成を具備するＳＥＭ用の環境セルが記載されている。電子線は細胞表面で反射し、反射電子を反射電子検出器により、ＣＬを、光ファイバを介して光検出器により観測する構成である。
【００１３】
環境セルに関しては、Ｐｒｏｔｏｃｈｉｐｓ社がＳＴＥＭ又はＴＥＭ用製品を作製・出荷している（非特許文献６）。また、Ｑｕａｎｔｏｍｉｘ社がＳＥＭ用製品を作製・出荷している（非特許文献７）。しかし、光学顕微鏡用途の環境セルはない。
【００１４】
別のアプローチとして、環境セルを用いずに液中の試料を観察するために、通常とは上下を逆に作った専用のＳＥＭも開発されている。
【００１５】
液中の生物試料を電子顕微鏡で観察する上での深刻な問題は、電子線による対象物の損傷である。画像の取得原理が対象物による電子線の吸収、散乱、ＣＬに基づく以上、対象物への電子線照射は原理的に避けられない。ＴＥＭでは電子線照射量を極小化することにより、観察後にも細胞が生きていたことを実証した事例もあるが、一般的なＳＴＥＭを用いた手法では、従来、知られていた損傷閾値よりも電子線照射量を抑制したにもかかわらず、細胞は生きていられなかったと報告されている。ＳＥＭを用いた手法でも、液中の生物試料が観察後に生きていたという報告はない。
【００１６】
特許文献１には、「光学顕微鏡部」と「電子顕微鏡結像系による光励起を行う部分」が連結された構成を具備する光学顕微鏡が記載されている。また、非特許文献１は、特許文献１に係る光学顕微鏡を、上下を逆に作った特殊な倒立型ＳＥＭを用いて実現したものである。しかし、試料への電子線照射を抑制し、試料に電子線損傷を与えずに画像を得るための方法は示されていない。また、これらの文献には、倒立型ではない一般的な電子顕微鏡を用いて、生物試料を光学観察するための方法は記載されていない。特許文献２、３には、環境セルを用いたＸ線顕微鏡が開示されている。これは、観察試料支持部材から発生する特性Ｘ線により試料のＸ線透過像を観察するものである。しかし、光学顕微像を得ることはできない。
【先行技術文献】
【特許文献】
【００１７】
【特許文献１】国際公開第２００９／１４８０９４号
【特許文献２】特許第４５６５１６８号
【特許文献３】特開２０１１−００７７６６号公報
【特許文献４】特表２００８−５１０９８８号公報
【非特許文献】
【００１８】
【非特許文献１】Ｗ．Ｉｎａｍｉ，Ｋ．Ｎａｋａｊｉｍａ，Ａ．Ｍｉｙａｋａｗａ，ａｎｄ  Ｙ．Ｋａｗａｔａ，“Ｅｌｅｃｔｒｏｎ  ｂｅａｍ  ｅｘｃｉｔａｔｉｏｎ  ａｓｓｉｓｔｅｄ  ｏｐｔｉｃａｌ  ｍｉｃｒｏｓｃｏｐｅ  ｗｉｔｈ  ｕｌｔｒａ−ｈｉｇｈ  ｒｅｓｏｌｕｔｉｏｎ”，  Ｏｐｔ．  Ｅｘｐｒｅｓｓ  １８，１２８９７（２０１０）
【非特許文献２】Ｔ．Ｏｇｕｒａ，“Ｍｅａｓｕｒｅｍｅｎｔ  ｏｆ  ｔｈｅ  ｕｎｓｔａｉｎｅｄ  ｂｉｏｌｏｇｉｃａｌ  ｓａｍｐｌｅ  ｂｙ  ａ  ｎｏｖｅｌ  ｓｃａｎｎｉｎｇ  ｅｌｅｃｔｒｏｎ  ｇｅｎｅｒａｔｉｏｎ  Ｘ−ｒａｙ  ｍｉｃｒｏｓｃｏｐｅ  ｂａｓｅｄ  ｏｎ  ＳＥＭ”，  Ｂｉｏｃｈｅｍ．Ｂｉｏｐｈｙｓ．Ｒｅｓ．Ｃｏｍｍｕｎ．３８５，６２４（２００９）
【非特許文献３】Ｄ．Ｂ．Ｐｅｃｋｙｓ，Ｇ．Ｍ．Ｖｅｉｔｈ，Ｄ．Ｃ．Ｊｏｙ，ａｎｄ  Ｎ．ｄｅ  Ｊｏｎｇｅ，“Ｎａｎｏｓｃａｌｅ  Ｉｍａｇｉｎｇ  ｏｆ  Ｗｈｏｌｅ  Ｃｅｌｌｓ  Ｕｓｉｎｇ  ａ  Ｌｉｑｕｉｒ  Ｅｎｃｌｏｓｕｒｅ  ａｎｄ  ａ  Ｓｃａｎｎｉｎｇ  Ｔｒａｎｓｍｉｓｓｉｏｎ  Ｅｌｅｃｔｒｏｎ  Ｍｉｃｒｏｓｃｏｐｅ”，ＰＬｏＳ  ＯＮＥ  ４，ｅ８２１４（２００９）
【非特許文献４】Ｋ．−Ｌ．Ｌｉｕ，Ｃ．−Ｃ．Ｗｕ，Ｙ．−Ｊ．Ｈｕａｎｇ，Ｈ．−Ｌ．Ｐｅｎｇ，Ｗ．−Ｙ．Ｃｈａｎｇ，Ｐ．Ｃｈａｎｇ，Ｌ．Ｈｓｕ，ａｎｄ  Ｔ．−Ｒ．Ｙｅｗ，“Ｎｏｖｅｌ  ｍｉｃｒｏｃｈｉｐ  ｆｏｒ  ｉｎ  ｓｉｔｕ  ＴＥＭ  ｉｍａｇｉｎｇ  ｏｆ  ｌｉｖｉｎｇ  ｏｒｇａｎｉｓｍｓ  ａｎｄ  ｂｉｏ−ｒｅａｃｔｉｏｎｓ  ｉｎ  ａｑｕｅｏｕｓ  ｃｏｎｄｉｔｉｏｎｓ”，  Ｌａｂ  Ｃｈｉｐ  ８，１９１５（２００８）
【非特許文献５】Ｓ．Ｔｈｉｂｅｒｇｅ，Ａ．Ｎｅｃｈｕｓｈｔａｎ，Ｄ．Ｓｐｒｉｎｚａｋ，Ｏ．Ｇｉｌｅａｄｉ，Ｖ．Ｂｅｈａｒ，Ｏ．Ｚｉｋ，Ｙ．  Ｃｈｏｗｅｒｓ，Ｓ．Ｍｉｃｈａｅｌｉ，Ｊ．Ｓｃｈｌｅｓｓｉｎｇｅｒ，ａｎｄ  Ｅ．Ｍｏｓｅｓ，“Ｓｃａｎｎｉｎｇ  ｅｌｅｃｔｒｏｎ  ｍｉｃｒｏｓｃｏｐｙ  ｏｆ  ｃｅｌｌｓ  ａｎｄ  ｔｉｓｓｕｅｓ  ｕｎｄｅｒ  ｆｕｌｌｙ  ｈｙｄｒａｔｅｄ  ｃｏｎｄｉｔｉｏｎｓ”，  Ｐｒｏｃ．Ｎａｔｌ．Ａｃａｄ．Ｓｃｉ．ＵＳＡ  １０１，３３４６（２００４）
【非特許文献６】Ｐｒｏｔｏｃｈｉｐｓ社製品ホームページ  http://www.protochips.com/
【非特許文献７】Ｑｕａｎｔｏｍｉｘ社製品ホームページ  http://www.wetsem.com/
【発明の概要】
【発明が解決しようとする課題】
【００１９】
本発明は、液中の、無染色の、非固定の生物試料を高分解能で光学観察可能な近接場光学観察装置、試料含有環境セル作製方法、走査電子光学顕微鏡及び走査電子光学顕微鏡の使用方法を提供することを課題とする。
【課題を解決するための手段】
【００２０】
本発明者は、上記事情を鑑み、試行錯誤することにより、環境セル（Ｅｎｖｉｒｏｎｍｅｎｔａｌ  ｃｅｌｌ）を具備した近接場光学観察装置と電子顕微法とを融合して、環境セル内に液中の、無染色の、非固定の生物試料を保持して、電子顕微鏡の真空槽内部に配置した状態で、機械的に走査する先鋭光ファイバプローブの代わりに、電子線が照射され発光する蛍光色素の光を照明プローブ（照明光源）として用いる走査電子光学顕微鏡（Ｓｃａｎｎｉｎｇ  Ｅｌｅｃｔｏｒｏｎｉｃ  Ｏｐｔｉｃａｌ  Ｍｉｃｒｏｓｃｏｐｙ：ＳＥＯＭと略記する。）を開発した。これは、近接場光学顕微鏡（ＳＮＯＭ）でもある。
【００２１】
具体的には、環境セルの厚さ５０ｎｍの電子線で発光する窓を、低エネルギー電子線で走査し、発生したフォトンを下に配置した光電子増倍管（ＰＭＴ）で計数することにより、窓材の反対面に付着させた試料の近接場光学像を試料の回折限界の影響を受けずに、１００ｎｍを超える高分解能からなる光学画像を下部に配置した光電子増倍管にて、機械的走査に頼らずに、取得することができた。従来の理論では回折限界により２４０ｎｍ以下のものは光学顕微鏡では識別できないとされていたが、双極子放射増強あるいはエネルギー移動現象により形成され、６２ｎｍという小さな構造の画像を観察できた。
【００２２】
この近接場光学観察装置は、既設の走査電子顕微鏡の試料室に容易に取り付けることができ、近接場光学観察装置と電子顕微鏡を組み合わせだけで走査電子光学顕微鏡（ＳＥＯＭ）を実現できた。
【００２３】
近接場光学観察装置の環境セル中には、試料を、大気、水、生理食塩水、培養液など、任意の環境中に保持することができた。
試料としては細胞やナノ粒子を用いることができ、液中の無染色で生きたままのヒト肺表皮細胞の表面構造や、細胞内に取り込まれた細胞毒性を持ったナノ粒子を観察できた。
【００２４】
画像は、先に記載したように、対象物の屈折率に応じて双極子放射増強により形成され、対象物が吸収性物質の場合には、エネルギー移動によるＣＬの消光現象もコントラスト形成に寄与した。
【００２５】
一般的な電子線エネルギーはＳＥＭでは５〜３０ｋＶ、ＴＥＭ、ＳＴＥＭでは１００〜２００ｋＶであるのに対し、０．８〜１．２ｋＶという低エネルギー電子線を用いる構成なので、窓材にて十分に遮蔽され、窓材の反対側に付着した試料に損傷を与えなかった。
【００２６】
以上説明したように、走査電子光学顕微鏡（ＳＥＯＭ）により、液中の生きた細胞の無染色、解像光学観察を可能であること、具体的には、生きたヒト肺表皮細胞の付着界面の微細構造や毒性ナノ粒子の細胞内取り込み過程の観察に利用できることを見出して、本発明を完成した。
本発明は、以下の構成を有する。
【００２７】
（１）試料を密封保持可能な空間部と、前記空間部の一方に設けられた入射窓と、前記空間部の他方に設けられた出射窓とを備えた環境セルと、発光測定モジュールとを有し、前記入射窓が電子線励起により発光可能な発光材料を有していることを特徴とする近接場光学観察装置。
【００２８】
（２）前記入射窓に接するようにフレーム部が設けられていることを特徴とする（１）に記載の近接場光学観察装置。
（３）前記フレーム部に一面側と他面側を連通するように孔部が形成されていることを特徴とする（２）に記載の近接場光学観察装置。
（４）前記フレーム部の一面側に前記入射窓が設けられていることを特徴とする（３）に記載の近接場光学観察装置。
【００２９】
（５）前記孔部が前記空間部の一部であることを特徴とする（３）又は（４）に記載の近接場光学観察装置。
（６）前記フレーム部の他面側に前記入射窓が設けられていることを特徴とする（３）に記載の近接場光学観察装置。
（７）前記フレーム部の他面側に又は前記他面側に離間して出射窓が設けられていることを特徴とする（１）〜（６）のいずれかに記載の近接場光学観察装置。
【００３０】
（８）前記フレーム部の一面側と他面側を連通する前記孔部が、入射窓側から出射窓側に向けて広がるよう形成されていることを特徴とする（３）に記載の近接場光学観察装置。
（９）前記孔部に面する前記フレーム部の壁面が光反射性の高い材料で被覆されていることを特徴とする（８）のいずれかに記載の近接場光学観察装置。
（１０）前記入射窓が、２層以上で形成されており、高強度材料からなる構造層と、前記構造層に積層され、電子線励起により発光可能な発光材料を有している発光層と、を有していることを特徴とする（１）〜（９）のいずれかに記載の近接場光学観察装置。
【００３１】
（１１）前記発光層が、電子線励起により発光可能な発光材料からなることを特徴とする（１０）に記載の近接場光学観察装置。
（１２）前記発光層が、前記発光材料に電子線励起により発光可能な別の発光材料が添加されて形成されていることを特徴とする（１１）に記載の近接場光学観察装置。
（１３）前記構造層が、ＳｉＮ、ＳｉＯ２、ＳｉＣ，Ｓｉ、ポリイミド、パリレン、カーボン、コロジオン、フォルムバール、トリアセチルセルロースのいずれかの高強度材料からなるメンブレンであることを特徴とする（１０）〜（１２）のいずれかに記載の近接場光学観察装置。
【００３２】
（１４）前記入射窓の膜厚が、５ｎｍ以上５００ｎｍ以下であることを特徴とする（１）〜（１３）のいずれかに記載の近接場光学観察装置。
（１５）前記出射窓が、ガラス、ポリエステル、ポリイミド、ＳｉＮ、ＳｉＯ２、ＳｉＣ，Ｓｉ、パリレン、カーボン、コロジオン、フォルムバール、トリアセチルセルロースのいずれかの材料からなることを特徴とする（１）〜（１４）のいずれかに記載の近接場光学観察装置。
（１６）前記入射窓が複数設けられていることを特徴とする（１）〜（１５）のいずれかに記載の近接場光学観察装置。
【００３３】
（１７）前記発光測定モジュールが、前記環境セルの出射窓側に配置されていることを特徴とする（１）〜（１６）のいずれかに記載の近接場光学観察装置。
（１８）前記発光測定モジュールが、前記環境セルと離間して配置されており、前記環境セルの出射窓側と前記発光測定モジュールの光電面とを結ぶ光路システムが設けられていることを特徴とする（１）〜（１６）のいずれかに記載の近接場光学観察装置。
（１９）前記光路システムが、レンズと、ミラーと、光ファイバの群から選択される二以上の光部品を組み合わせて形成されていることを特徴とする（１８）に記載の近接場光学観察装置。
（２０）前記発光測定モジュールが光電子倍増管を有するモジュール、分光測定システム、多波長発光測定モジュールのいずれかであることを特徴とする（１）〜（１９）のいずれかに記載の近接場光学観察装置。
【００３４】
（２１）一面側と他面側を連通する孔部を有するフレーム部の一面側または他面側に入射窓を設けた第１の基板を用意し、前記入射窓の他面側に試料を付着させてから、前記試料を覆うように充填媒体を滴下する工程と、出射窓を有する第２の基板を用意し、前記出射窓を覆うように充填媒体を滴下する工程と、前記第１の基板と前記第２の基板を充填媒体が混じり合うように重ね合わせる工程とを有することを特徴とする試料含有環境セル作製方法。
【００３５】
（２２）充填媒体を滴下する工程の前工程として、高強度材料からなる構造層上に発光層をドロップ・コーティングして、入射窓を形成することを特徴とする（２１）に記載の試料含有環境セル作製方法。
（２３）重ね合わせる工程で、第１の基板又は第２の基板に設けられた充填媒体排出用孔部から、余分な充填媒体を排出・除去してから、前記充填媒体排出用孔部の充填媒体排出側に設けられた封止シールに別の封止シールを重ねて接着することを特徴とする（２１）又は（２２）に記載の試料含有環境セル作製方法。
（２４）重ね合わせる工程後、第１の基板と第２の基板を第３の基板にねじ止め固定することを特徴とする（２１）〜（２３）のいずれかに記載の試料含有環境セル作製方法。
【００３６】
（２５）（１）〜（２０）のいずれかに記載の近接場光学観察装置と、電子顕微鏡とを有することを特徴とする走査電子光学顕微鏡。
（２６）前記近接場光学観察装置が、電子顕微鏡の真空槽内に配置されていることを特徴とする（２５）に記載の走査電子光学顕微鏡。
（２７）前記近接場光学観察装置の環境セルが、環境セル保持部に保持されており、前記近接場光学観察装置の発光測定モジュールが、保持部に保持されており、前記保持部に対して前記環境セル保持部の位置合わせ移動機構が備えられていることを特徴とする（２５）又は（２６）に記載の走査電子光学顕微鏡。
（２８）前記位置合わせ移動機構により、前記保持部から前記環境セル保持部を取り外して、電子顕微鏡の真空槽に接続された別の真空槽に移動可能であることを特徴とする（２７）に記載の走査電子光学顕微鏡。
【００３７】
（２９）（２４）〜（２８）のいずれかに記載の走査電子光学顕微鏡の使用方法であって、環境セルの入射窓の電子線透過率が１％以下となるエネルギーの電子線を環境セルの入射窓に照射することを特徴とする走査電子光学顕微鏡の使用方法。
（３０）０．８ｋＶ以上１．２ｋＶ以下のエネルギーの電子線を環境セルの入射窓に照射することを特徴とする（２９）に記載の走査電子光学顕微鏡の使用方法。
【発明の効果】
【００３８】
本発明の近接場光学観察装置は、試料を密封保持可能な空間部と、前記空間部の一方に設けられた入射窓と、前記空間部の他方に設けられた出射窓とを備えた環境セルと、発光測定モジュールとを有し、前記入射窓が電子線励起により発光可能な発光材料を有している構成なので、環境セルに保持することにより、真空槽内部でも液中の、無染色の、非固定の生物試料を安定して測定対象として保持することができ、環境セルの窓内の蛍光材料を電子線励起により発光させることにより、窓に付着させた試料の極めて近傍で、ナノオーダーの光源として発光させて、これを近接場光源として利用できるので、回折限界を超えた高分解能で光学観察することができる。
【００３９】
本発明の試料含有環境セル作製方法は、一面側と他面側を連通する孔部を有するフレーム部の一面側に入射窓を設けた第１の基板を用意し、前記入射窓の他面側に試料を付着させてから、前記試料を覆うように充填媒体を滴下する工程と、出射窓を有する第２の基板を用意し、前記出射窓を覆うように充填媒体を滴下する工程と、前記第１の基板と前記第２の基板を充填媒体が混じり合うように重ね合わせる工程とを有する構成なので、入射窓に試料を付着させ、充填媒体で環境セル内を充填して、内部を閉じた系として、液中の、無染色の、非固定の生物試料を含有する環境セルを容易に作製できる。
【００４０】
本発明の走査電子光学顕微鏡は、先に記載の近接場光学観察装置と、電子顕微鏡とを有する構成なので、液中の、無染色の、非固定の生物試料を含有する環境セルを電子顕微鏡の真空槽内が配置され、液中の、無染色の、非固定の生物試料を高分解能で光学観察することができる。
【００４１】
本発明の走査電子光学顕微鏡の使用方法は、先に記載の走査電子光学顕微鏡の使用方法であって、環境セルの入射窓の電子線透過率が１％以下となるエネルギーの電子線を環境セルの入射窓に照射する構成なので、液中の、無染色の、非固定の生物試料を含有する環境セルを電子顕微鏡の真空槽内が配置され、液中の、無染色の、非固定の生物試料を痛めたり、破壊することなく、高分解能で光学観察することができる。
【図面の簡単な説明】
【００４２】
【図１】本発明の第１の実施形態である走査電子光学顕微鏡の一例を示す模式図（ａ）、そのシステム全体のブロック図（ｂ）である。
【図２】本発明の実施形態である近接場光学観察装置の一例を示す模式図である。
【図３】本発明の実施形態である近接場光学観察装置の環境セルに試料を充填した状態の一例を示す模式図である。
【図４】本発明の実施形態である近接場光学観察装置の原理の一例の説明図である。
【図５】本発明の実施形態である試料含有環境セル作製方法の一例を示す工程図であって、試料がナノ粒子である場合である。
【図６】本発明の実施形態である試料含有環境セル作製方法の一例を示す工程図であって、試料がナノ粒子である場合である。
【図７】本発明の実施形態である試料含有環境セル作製方法の一例を示す工程図であって、試料がナノ粒子である場合である。
【図８】本発明の実施形態である試料含有環境セル作製方法の一例を示す工程図であって、試料がナノ粒子である場合である。
【図９】本発明の実施形態である試料含有環境セル作製方法の一例を示す工程図であって、試料がナノ粒子である場合である。
【図１０】本発明の実施形態である試料含有環境セル作製方法の一例を示す工程図であって、試料がナノ粒子である場合である。
【図１１】本発明の実施形態である試料含有環境セル作製方法の一例を示す工程図であって、試料がナノ粒子である場合である。
【図１２】本発明の実施形態である試料含有環境セル作製方法の一例を示す工程図であって、試料がナノ粒子である場合である。
【００４３】
【図１３】本発明の実施形態である試料含有環境セル作製方法の一例を示す工程図であって、試料が生きた細胞である場合である。
【図１４】本発明の実施形態である試料含有環境セル作製方法の一例を示す工程図であって、試料が生きた細胞である場合である。
【図１５】本発明の実施形態である試料含有環境セル作製方法の一例を示す工程図であって、試料が生きた細胞である場合である。
【図１６】本発明の実施形態である試料含有環境セル作製方法の一例を示す工程図であって、試料が生きた細胞である場合である。
【図１７】本発明の実施形態である試料含有環境セル作製方法の一例を示す工程図であって、試料が生きた細胞である場合である。
【００４４】
【図１８】本発明の実施形態である試料含有環境セル作製方法の一例を示す工程図であって、試料が生きた細胞である場合である。
【図１９】本発明の第２の実施形態である走査電子光学顕微鏡の一例を示す模式図である。
【図２０】多波長発光測定モジュールの一例を示す模式図である。
【図２１】本発明の第３の実施形態である走査電子光学顕微鏡に備えられる環境セルの一例を示す模式図である。
【図２２】本発明の第１、４〜８の実施形態である走査電子光学顕微鏡に備えられる環境セルの一例を示す模式図である。
【図２３】本発明の第１、９、１０の実施形態である走査電子光学顕微鏡に備えられる環境セルの構造層とフレーム部の組み合わせの一例を示す模式図である。
【図２４】光反射効果評価結果を示すグラフである。
【図２５】入射窓中での電子線拡散領域のシミュレーション結果である。
【図２６】ドロップ・コーティングの外観写真（ａ）及びドロップ・コーティングに用いるピペット先端部の拡大写真（ｂ）である。
【図２７】ドロップ・コーティングの操作写真（ａ）及びドロップ・コーティング面の平滑性評価写真（ｂ）である。
【図２８】電子線エネルギーと電子線の透過率の関係の評価結果を示すグラフである。
【図２９】作製した第１〜第３の基板及び細胞培養用シリコーンリングの写真（ａ）と、第１〜第３の基板の組み合わせ写真（ｂ）、第１〜第３の基板の説明写真（ｃ）である。
【図３０】電子顕微鏡の電気／光フィードスルー端子の写真（ａ）及び真空槽内部の写真（ｂ）である。
【図３１】環境セル保持部の写真（ａ）及びその拡大写真（ｂ）である。
【図３２】引き出した環境セル保持部の写真（ａ）及びその拡大写真（ｂ）である。
【００４５】
【図３３】保持部及び環境セル保持部の写真である。
【図３４】第１の基板に細胞培養用シリコーンリングを取り付けてシャーレに配置した写真である。
【図３５】液中の、無染色の、非固定の細胞の観察結果を示す顕微鏡画像（ａ）、及びフィルタリング画像から主要構造を抽出した模式図（ｂ）である。
【図３６】高分解性評価結果を示す顕微鏡画像（ａ）、（ｂ）及び写真から得られた半値幅のグラフ（ｃ）である。
【図３７】光スペクトル評価結果を示すグラフである。
【図３８】無機蛍光体及び有機蛍光体からなる試料の光スペクトル評価結果を示すグラフである。
【図３９】金ナノ粒子の観察結果を示す顕微鏡画像である。
【発明を実施するための形態】
【００４６】
（本発明の第１の実施形態）
以下、添付図面を参照しながら、本発明の実施形態である近接場光学観察装置、試料含有環境セル作製方法,走査電子光学顕微鏡及び走査電子光学顕微鏡の使用方法について説明する。
【００４７】
＜走査電子光学顕微鏡＞
まず、本発明の第１の実施形態である走査電子光学顕微鏡について説明する。
図１は、本発明の第１の実施形態である走査電子光学顕微鏡の一例を示す模式図（ａ）と、そのシステム全体のブロック図（ｂ）である。
図１（ａ）に示すように、本発明の第１の実施形態である走査電子光学顕微鏡１０１は、近接場光学観察装置１１と、電子顕微鏡とを有して概略構成されている。
具体的には、内部を減圧可能な略筒状の真空槽１０３と、真空槽１０３内部の先端側に配置された電子源（電子銃）１０２と、電子源１０２から放射された電子線９１の進行方向を制御する走査コイル１０４と、真空槽１０３内部の基端側に配置された近接場光学観察装置１１とを有している。
真空槽１０３には、別の真空槽１０５が接続されている。真空槽１０３と真空槽１０５の間は開閉自在とされている。
環境セル１２と電子銃１０２との間にはシャッター１０８が配置されている。シャッター１０８は必要に応じて電子線９１が環境セル１２に照射されないように、電子線９１を電磁的あるいは機械的に開閉する装置で、電極間に電界を生じさせて電子線を遮断するビームブランカーが一般的である。本願装置では、ビームブランカーの代わりに機械的シャッターを用いている。
電子線９１としては、０．８〜１．２ｋＶという低エネルギー電子線を用いる。これにより、試料に与える損傷を低減できる。
【００４８】
近接場光学観察装置１１は、環境セル１２と発光測定モジュール１３とからなる。
環境セル１２は環境セル保持部１１０に保持されており、発光測定モジュール１３は発光測定モジュールの保持部１０９に保持されている。保持部１０９に対して前記環境セル保持部１１０の位置合わせ移動機構（図示略）が備えられている。
前記位置合わせ移動機構（図示略）により、保持部１０９から前記環境セル保持部１１０を取り外して、電子顕微鏡の真空槽１０３に接続された別の真空槽１０５に移動可能とされている。これにより、真空槽１０３中の真空を破らずに、試料交換が可能とされている。
【００４９】
図１（ｂ）に示すように、本発明の実施形態である走査電子光学顕微鏡のシステムは、電子銃制御回路１２１と、走査信号制御回路１２２と、電子線照射制御回路１２３と、光検出器電源回路１２４と、光信号整形回路１２５と、２次電子信号整形回路１２６と、２次電子信号整形回路１２６に接続された２次電子検出器１２７と、これらの回路に接続された制御ＰＣ１２８と、制御ＰＣ１２８に接続されたモニター１２９とを有して、概略構成されている。
【００５０】
ここで、電子銃制御回路１２１は、電子線エネルギーや電流を制御する回路である。走査信号制御回路１２２は、目的の位置に次々に電子線が照射されるような信号を走査コイルに出力する回路である。電子線照射制御回路１２３は、シャッターの開閉を制御する回路である。
【００５１】
光検出器電源回路１２４は本願装置の場合には光電子増倍管用の高圧電源であり、本願装置の場合には発光測定モジュール１３の内部に組み込まれている。光信号整形回路１２５は、本願装置の場合には前置増幅器とフォトンカウンティング回路とからなり、フォトンの計数値を出力する。本願装置の場合には、前置増幅器は真空槽の中で、検出器近傍に組み込まれている。２次電子信号整形回路１２６は、２次電子検出器１２７からの信号を増幅する整形回路である。２次電子検出器１２７は、ＳＥＭにもともと備えられている検出器である。
【００５２】
＜近接場光学観察装置＞
次に、本発明の実施形態である近接場光学観察装置について説明する。
図２は、本発明の実施形態である近接場光学観察装置の一例を示す模式図である。図３は、本発明の実施形態である近接場光学観察装置の環境セルに試料を充填した状態の一例を示す模式図である。
【００５３】
図２、３に示すように、本発明の実施形態である近接場光学観察装置１１は、環境セル１２と発光測定モジュール１３とを有して、概略構成されている。
環境セル１２は、試料を密封保持可能な空間部１９と、空間部１９の一方に設けられた入射窓３０と、空間部１９の他方に設けられた出射窓３４とを備えた環境セル１２と、発光測定モジュール１３とを有している。
【００５４】
環境セル１２は、フレーム部３５と、フレーム部３５の一面側と他面側を連通する孔部３５ｃと、孔部３５ｃのフレーム部３５の一面側に設けられた入射窓３０と、孔部３５ｃのフレーム部３５の他面側に離間して設けられた出射窓３４と、を有している。
なお、出射窓３４は、図２、３に示すように、フレーム部３５の他面側に又は前記他面側に離間して設けられていればよく、フレーム部３５の他面に接して配置してもよい。
【００５５】
図３に示すように、環境セル１２は、入射窓３０と出射窓３４の間に、試料４１を密封保持可能な空間部１９を備えている。空間部１９は、孔部２２ｃ１、孔部３５ｃ、充填媒体排出用孔部２２ｃ２、孔部３８Ａｃとから構成されている。空間部１９には、試料４１と充填媒体４２が充填されている。
【００５６】
フレーム部３５として、Ｓｉ、ステンレス、銅、モリブデン、白金、ニッケル、金のいずれかの材料を挙げることができる。これにより、孔部３５ｃの大きさを正確に制御して形成することができ、試料保持状態を正確に制御できる。また、試料や充填媒体と反応させることもない。
【００５７】
フレーム部３５の一面側と他面側を連通する孔部３５ｃが、入射窓側から出射窓側に向けて広がるよう形成されていることが好ましい。これにより、出射光を発光測定モジュールに効率よく伝えることができる。
【００５８】
孔部３５ｃに面するフレーム部３５の壁面が光反射性の高い材料で被覆されていることが好ましい。これにより、出射光を発光測定モジュールにより効率よく伝えることができる。光反射性の高い材料としては、Ａｇ、Ａｌ、Ａｕ、Ｐｔのいずれかの材料を上げることができる。斜め蒸着法により、必要な壁面部だけにこれらの材料を被覆することが可能である。
【００５９】
入射窓３０は、高強度材料からなる構造層３１と、構造層３１に積層され、電子線励起により発光可能な発光材料を有している発光層３２の２層で構成されている。しかし、これに限られるものではなく、３層以上としてもよい。
【００６０】
発光層３２は、それ自体が電子線励起により発光可能な発光材料からなるか、又は、前記発光材料に電子線励起により発光可能な別の発光材料が添加されて形成されている。これにより、発光層３２のポリマー材料を光源に利用できる。これにより、発光層３２に照射された電子線照射部を近接場光源とすることができる。
発光層３２自体が電子線励起により発光可能な発光材料となりうる材料としては、ＰＰＶ誘導体などのπ共役高分子、ポリイミド、Ａｌｑなどの有機ＥＬ材料、ＢＣ４００などのプラスチックシンチレータ，ＳｉＮ，ＺｎＯの群から選択されるいずれか一の材料を挙げることができる。また、添加され、電子線励起により発光可能な別の発光材料は、Ａｌｑ、Ｂｂｑ、Ｚｎ−ＰＢＯ、ルブレン、Ｉｒ（ｐｐｙ）３、クマリンやＤＣＭなどのレーザー色素の群から選択されるいずれか一の発光材料を挙げることができる。具体的には、ＰＶＫにクマリンを添加した発光層（クマリン分散ＰＶＫ）や、ＺｎＳにＡｇを添加した発光層等を挙げることができる。クマリンとしては、バンドギャップが２．３ｅＶのクマリン６などを挙げることができる。
【００６１】
構造層３１は、高強度材料ＳｉＮからなるメンブレンである。構造層３１は、ＳｉＯ２、ＳｉＣ，Ｓｉ、ポリイミド、パリレン、カーボン、コロジオン、フォルムバール、トリアセチルセルロースのいずれかの高強度材料からなるメンブレンであってもよい。これらのメンブレンにより、膜厚を薄くしても、強度を保つことができ、環境セルを真空槽内に保持したときでも、入射窓が破れるのを防止できる。
【００６２】
フレーム部と構造層の組み合わせとしては、例えば、Ｓｉのフレーム部にＳｉＮ、ＳｉＯ２、ＳｉＣ、Ｓｉの群から選択されるいずれか一のメンブレンからなる構造層を挙げることができる。
また、別の組み合わせとしては、ＳＵＳ，Ｃｕ、Ｍｏ、Ｐｔ、Ｎｉ、Ａｕの群から選択されるいずれか一の金属からなるフレーム部に、ポリイミド、パリレン、カーボン、コロジオン、フォルムバール、トリアセチルセルロースの群から選択されるいずれか一の有機材料のメンブレンからなる構造層を挙げることができる。
【００６３】
フレーム部としては、一の孔部が設けられているものに限られず、複数の孔部が設けられるものを用いてもよい。例えば、３×３＝９個の孔部を配列形成してもよい。これにより、メッシュ状の孔部を形成できる。メッシュ状の孔部は、Ｓｉのフレーム部又はＳＵＳ、Ｃｕ、Ｍｏ、Ｐｔ、Ｎｉ、Ａｕなどの金属からなるフレーム部に形成できる。金属のメッシュからなるフレーム部には、ポリイミド、パリレン、カーボン、コロジオン、フォルムバール、トリアセチルセルロースなどの主に有機材料のメンブレンを構造層として貼り付けることができる。
【００６４】
入射窓３０の膜厚は、５ｎｍ以上５００ｎｍ以下であることが好ましい。
入射窓３０の発光層３２の平面視径が、５μｍ以上１ｍｍ以下であることが好ましい。これにより、この範囲で２次元観測することができる。
【００６５】
出射窓３４として、ガラス、ポリエステル、ポリイミド、ＳｉＮ、ＳｉＯ２、ＳｉＣ，Ｓｉ、パリレン、カーボン、コロジオン、フォルムバール、トリアセチルセルロースのいずれかの材料を挙げることができる。ガラスとしては石英ガラスが好ましい。
出射窓３４の平面視径は、例えば、５μｍ以上１０ｍｍ以下とする。
【００６６】
発光測定モジュール１３は、環境セル１２の出射窓３４側に配置されている。発光測定モジュール１３は、光電子倍増管を有するモジュールである。これにより、出射光を効率よく捕えることができる。
【００６７】
発光測定モジュール１３は、フォトダイオードやアバランシェフォトダイオード等の光検出器を有する構成でも良い。また、多素子光電子増倍管、多素子フォトダイオード、ＣＣＤ、ＣＭＯＳ等の多素子光検出器を有する構成としてもよい。
【００６８】
＜近接場光学観察装置の原理＞
本発明の実施形態である近接場光学観察装置の原理について説明する。
図４は、本発明の実施形態である近接場光学観察装置の原理の一例を示す模式図である。
【００６９】
図４に示すように、本発明の実施形態である近接場光学観察装置の環境セルでは、電子銃側から、構造層３１及び発光層３２がこの順序で積層された入射窓３０と、試料４１と、充填媒体４２と、出射窓３４とがこの順序で積層されてなり、環境セル１２の電子銃と反対側の面に、発光測定モジュール１３が配置されてなる。
充填媒体４２は、例えば、液体としてはＰＢＳであり、気体としては空気（Ａｉｒ）である。
【００７０】
試料４１としては、有機化合物又は無機化合物からなるナノ粒子、細胞などの生物試料などを挙げることができる。超解像光学観察のできなかった、液中の無染色の非固定の生物試料にすら適用できる。生物以外の試料としては無機、有機、半導体など様々な組成の粒子を任意の溶液あるいは気体中で観察するということができる。生物試料であっても、無染色、非固定に限らず、染色した細胞、固定した細胞も対象にできる。また、生物試料であっても、バクテリア、ウィルス、細胞壁を有する酵母細胞など、種類によっては、液中ではなく、空気や任意の組成の気体中で観察することができる。
【００７１】
電子銃１０２から出射された電子線９１は発光層３２の任意の点に照射され、発光層３２の任意の点がＣＬにより光源９２として発光する。光源９２から出射された光９３は近接場に配置された試料４１を照射し、試料４１との近接場相互作用の結果、透過された光９３が発光測定モジュール１３の光電面１３ａで捕捉される。捕捉された光はＰＣにより分析され、モニターに表示される。
【００７２】
電子線９１は、例えば矢印９１ａの方向に走査することにより、試料４１の１次元方向情報を得ることができ、走査方向を平行に順次ずらしていくことにより、試料４１の２次元面の情報を得ることができる。
【００７３】
光源９２からの光９３は蛍光材料の種類に応じて決まる、可視光を中心とする任意の光（波長２００〜２０００ｎｍ）であるが、光源９２の大きさが電子線拡散領域に対応するナノオーダーの大きさであるとともに、光源９２から試料４１までの距離がナノオーダーと短いため、試料４１による透過光のコントラストは近接場相互作用により決まり、可視光の回折限界を超えた分解能を有する近接場光学観察が可能となる。
【００７４】
入射窓３０の膜厚３０ｔが５ｎｍ以上５００ｎｍ以下である構成なので、試料４１と光源９２との距離を短くすることができ、発光層３２の電子線照射部を近接場光源として利用することができる。また、入射窓３０の強度を十分に保持できる。特に、入射窓３０を、機械的強度を保持する構造層と、発光機能を有する発光層に機能分離した２層構造とすることにより、発光機能を高めたうえで、機械的強度も高めることができる。
【００７５】
発光層３２の膜厚は、５ｎｍ以上５００ｎｍ以下とする。これにより、試料と光源との距離を短くして、発光層の電子線照射部を近接場光源として利用することができる。
出射窓３４の厚さは、５ｎｍ以上１ｍｍ以下とする。これにより、試料と発光測定モジュールとの距離を短くして、広い角度範囲の光９３を効率良く捕捉することができる。
【００７６】
フレーム部３５の厚さは、１０μｍ以上１ｍｍ以下とする。フレーム部３５の厚さは、光路長に影響しないが、出射窓３４の位置はフレーム部３５の厚さより発光層側に近づくことができない。また、フレーム部３５の壁面は反射板として作用するので、孔部３５ｃが、入射窓側から出射窓側に向けて広がるよう形成されていることにより、発光測定モジュール１３に入射させる出射光効率を高めることができる。
【００７７】
＜試料含有環境セル作製方法１：試料がナノ粒子である場合＞
次に、本発明の実施形態である試料含有環境セル作製方法であって、試料がナノ粒子である場合について説明する。
図５〜１２は、本発明の実施形態である試料含有環境セル作製方法の一例を示す工程図である。
本発明の実施形態である試料含有環境セル作製方法は、第１の基板の入射窓への試料付着・充填媒体滴下工程Ｓ１と、第２の基板の出射窓への充填媒体滴下工程Ｓ２と、第１の基板と第２の基板の重ね合わせ工程Ｓ３とを有して、概略構成されている。
【００７８】
なお、試料付着・充填媒体滴下工程Ｓ１の前工程として、高強度材料からなる構造層上に発光層をドロップ・コーティングして、入射窓を形成することが好ましい。これにより、微小面積であっても、均一な膜厚で、蛍光色素を偏らせることなく均一に分散させて、発光層を形成することができ、解像度を高めることができる。
【００７９】
（第１の基板の入射窓への試料付着・充填媒体滴下工程Ｓ１）
この工程では、まず、図５に示す、一面側と他面側を連通する孔部３５ｃを有するフレーム部３５の一面側に入射窓３０を設けた第１の基板２１を用意する。フレーム部３５は第１の基板２１の孔部２１ｃ１に外周側で接着され、固定されている。また、第１の基板２１は、基板本体部２１Ａにねじ用の孔部２１ｃ２が備えられている。
入射窓３０は、フレーム基板３５の一面側に接着された構造層３１と、構造層３１の他面側に接着された発光層３２とから構成されている。
【００８０】
次に、図５に示すように、入射窓３０の他面側に試料４１を付着させる。
次に、図６に示すように、試料４１を覆うように充填媒体４２を滴下する。
【００８１】
次に、図７に示すように、第３の基板２３の上に第１の基板２１を配置する。第３の基板２３は、基板本体部２３Ａに、孔部２３ｃ１と、ねじ用の孔部２３ｃ２が形成されてなる。後の工程で、第３の基板２３に、第１の基板２１及び第２の基板２２をねじ止め固定する。
【００８２】
（第２の基板の出射窓への充填媒体滴下工程Ｓ２）
この工程では、出射窓３４を有する第２の基板２２を用意する。第２の基板２２は、基板本体部２２Ａに、環境セル用の孔部２２ｃ１と、充填媒体排出用孔部２２ｃ２と、出射光用の孔部２２ｃ３と、ねじ用の孔部２２ｃ４が形成されてなる。充填媒体排出用孔部２２ｃ２には、孔部３８Ａｃが設けられた封止シール３８Ａが貼られている。また、環境セル用の孔部２２ｃ１にはＯリング３７が嵌合されている。Ｏリング３７は、ゴム・パッキングである。
次に、図８に示すように、出射窓３４を覆うように、かつ、環境セル用孔部２２ｃ１を充填するように、充填媒体４２を滴下する。
【００８３】
（第１の基板と第２の基板の重ね合わせ工程Ｓ３）
この工程では、図９に示すように、第１の基板２１と第２の基板２２を充填媒体４２が混じり合うように重ね合わせる。矢印が重ね合わせる方向である。Ｏリング３７が配置されているので、充填媒体４２の漏れは防止される。
【００８４】
図１０に示すように、第１の基板２１と第２の基板２２を重ね合わせたときに、第２の基板に設けられた充填媒体排出用孔部２２ｃ２及び封止シール３８Ａの孔部３８Ａｃを介して、余分な充填媒体４２が排出される。
次に、図１１に示すように、排出された充填媒体４２を、ろ紙等で除去する。
【００８５】
次に、図１２に示すように、封止シール３８Ａに重ねるようにして、別の封止シール３８Ｂを接着して、環境セル内部を外部から完全に隔離・密閉する。封止シール３８Ａ、３８Ｂの材料はポリイミドである。
同じ材質同士であれば短時間に高強度で接着する接着剤が広く存在するので、封止シール同士を重ねて接着することにより、短時間でかつ確実に密閉することができる。
【００８６】
重ね合わせる工程Ｓ３後、第１の基板と第２の基板を第３の基板にねじ止め固定することが好ましい。これにより、環境セル１２、特に、空間部１９を安定保持できる。
以上の工程により、試料含有環境セルを容易に、短時間で作製できる。
試料含有環境セルにより、無機、有機、半導体など様々な組成の粒子を任意の溶液あるいは気体中で観察することができる。
【００８７】
＜試料含有環境セル作製方法２：試料が生きた細胞である場合＞
次に、本発明の実施形態である試料含有環境セル作製方法であって、試料が生きた細胞である場合について説明する。
図１３〜１８は、本発明の実施形態である試料含有環境セル作製方法の一例を示す工程図である。
本発明の実施形態である試料含有環境セル作製方法は、第１の基板の入射窓への試料付着・充填媒体滴下工程Ｓ１が異なる。
【００８８】
まず、一面側と他面側を連通する孔部３５ｃを有するフレーム部３５の一面側に入射窓３０を設けた第１の基板２１を用意する。フレーム部３５は第１の基板２１の孔部２１ｃ１に外周側で接着され、固定されている。また、第１の基板２１は、基板本体部２１Ａにねじ用の孔部２１ｃ２が備えられている。入射窓３０は、フレーム基板３５の一面側に接着された構造層３１と構造層３１の他面側に接着された発光層３２とから構成されている。
【００８９】
次に、図１３に示すように、第１の基板２１上に、シリコーンリング４５を配置する。シリコーンリング４５は、シリコーン特有の付着力で第１の基板２１に密着する。
次に、別のフラスコで培養していた細胞４７を培養液４６に懸濁させた状態でシリコーンリング４５のリング内に滴下する。図１４に示すように、シリコーンリング４５のリング内に滴下した培養液４６中、細胞４７は浮遊する。
【００９０】
時間とともに、細胞４７は次第に沈降し、図１５に示すように、第１の基板２１、入射窓３０の他面側及びフレーム部３５に付着する。細胞４７はこれらに付着した状態で成長を始め、正常な状態となる。
次に、図１６に示すように、培養液４６を充填液体４２に交換する。充填液体４２中、細胞４７は数時間生き続ける。
次に、図１７に示すように、シリコーンリング４５を取り除く。
【００９１】
図５に示す入射窓３０の他面側にナノ粒子の試料を付着させた第１の基板の代わりに、図１７に示す細胞の試料を付着させた基板を用いるほかは、ナノ粒子の試料含有環境セル作製方法と同様にして、細胞の試料含有環境セルを容易に、短時間で作製できる。
図１８は、生きた細胞の試料含有環境セルの一例を示す図である。
【００９２】
これにより、これまで超解像光学観察のできなかった、液中の無染色の非固定の生物試料を近接場光学観察できる。
無染色、非固定に限らず、染色した細胞、固定した細胞も対象とすることができる。また、バクテリア、ウィルス、細胞壁を有する酵母細胞などの生物試料を、液中ではなく、空気や任意の組成の気体中で観察することもできる。
【００９３】
＜走査電子光学顕微鏡の使用方法＞
本発明の実施形態である走査電子光学顕微鏡の使用方法は、走査電子光学顕微鏡１０１の使用方法である。
０．８ｋＶ以上１．２ｋＶ以下のエネルギーの電子線を環境セルの入射窓に照射する。０．８ｋＶ以上１．２ｋＶ以下のエネルギーは、このエネルギーの電子線は、入射窓を透過できず、空間部内の、液中の、無染色の、非固定の生物試料を痛めたり、破壊することなく、高分解能で光学観察することができる。
【００９４】
（本発明の第２の実施形態）
次に、本発明の第２の実施形態である走査電子光学顕微鏡について説明する。
図１９は、本発明の第２の実施形態である走査電子光学顕微鏡の一例を示す模式図である。
図１９に示すように、本発明の第２の実施形態である走査電子光学顕微鏡１１０２は、環境セル１２と発光測定モジュール１３との間に光路システム１２０１を有しており、発光測定モジュール１３が真空槽の外に配置されている他は本発明の第１の実施形態である走査電子光学顕微鏡１０１と同様の構成とされている。
近接場光学観察装置１２１１は、環境セル１２と発光測定モジュール１３と光路システム１２０１とから構成されている。
【００９５】
環境セル１２と発光測定モジュール１３は離間して配置されており、発光測定モジュール１３は真空槽の外部に配置されている。これにより、発光測定モジュール１３として、ＰＭＴだけでなく、分光測定システムや多波長発光測定モジュールなどの複雑なモジュールを利用できる。
【００９６】
環境セル１２の出射窓側と発光測定モジュール１３の光電面とを結ぶ光路システム１２０１が設けられている。光路システム１２０１により、出射光は、効率よく発光測定モジュールに伝えられる。
【００９７】
光路システム１２０１は、レンズと、ミラーと、光ファイバの群から選択される二以上の光部品を組み合わせて形成されている。
具体的には、光路システム１２０１において、環境セル１２から発せられた光は、色収差補正対物レンズ１１２２にて一度平行光にされ、ミラー１１１９で向きを変えて再度色収差補正レンズ１１２３にて光ファイバ１１２５端面に集光される。光ファイバ１１２５はフィードスルーを介して真空槽外に接続されており、大気下に置いた発光測定モジュール１３に光を入射される。
なお、光路システム１２０１のうち色収差補正対物レンズ１１２２、ミラー１１１９、色収差補正レンズ１１２３は保持部１０９に取り付けられている。
【００９８】
発光測定モジュール１３として分光測定システムを用いると、２次元的な画像情報に加えて、スペクトルの観点からも試料を分析することができる。試料がまったく吸収を示さない場合には、観測されるスペクトルは単に発光層のＣＬスペクトルとなる。試料が特定の波長を吸収すれば、その波長の強度は減少するので、試料の吸収スペクトル情報を含んだ近接場光学像を取得することができる。
【００９９】
発光測定モジュール１３として多波長発光測定モジュールを用いると、カラー画像を観察できる。
図２０は、多波長発光測定モジュールの一例を示す模式図である。
図２０に示すように、光ファイバ１１２５からの光をレンズ１１２１で平行光に変換し、ダイクロイックミラー１１１７、１１１８で、青、緑、赤の３つの光路に分割する。それぞれの先に、光検出器１１１３、１１１４、１１１５を設けることにより、カラーの近接場光学観察が可能となる。
このような複雑なモジュールを狭隘なＳＥＭの試料室に直接組み込むのは困難であるが、光ファイバ１１２５を介して光信号を真空槽外に取り出すことにより、発光測定モジュール１３のスペースの制約がなくなり、このような自由度を得ることができる。
【０１００】
（本発明の第３の実施形態）
次に、本発明の第３の実施形態である走査電子光学顕微鏡について説明する。
図２１は、本発明の第３の実施形態である走査電子光学顕微鏡に備えられる環境セルの一例を示す模式図である。本発明の第３の実施形態である走査電子光学顕微鏡は、図２１に示す環境セルを備える他は本発明の第１の実施形態である走査電子光学顕微鏡１０１と同様の構成とされている。
【０１０１】
図２１に示すように、環境セル２０１２は、電子線側から、メッシュ状のフレーム部２０３５、入射窓２０３０、スペーサー２０５５、出射窓２０３４、支持基板２０５１が積層されて構成されている。
入射窓２０３０は、帯電防止層２０５３、発光層２０５２とから構成されている。
空間部２０１９内では、試料２０４１は発光層側に配置されており、充填媒体２０４２が充填されている。
図２１では、スペーサーと出射窓との間は接着剤で接合しているが、スペーサーと出射窓との間にＯリングを挟みこんだ状態で、先に記載のねじ止めにより、固定してもよい。
【０１０２】
メッシュ状のフレーム部２０３５の材料としては、ステンレスを挙げることができる。膜厚は１〜１００μｍとする。開口は、例えば、正方形とし、１辺１００〜１０００μｍとする。
発光層２０５２の材料としては、ポリイミドメンブレンを挙げることができる。膜厚は１００〜１０００ｎｍとする。電子線照射により、ポリイミドは、ピーク波長５５０ｎｍの蛍光を発するので、これを光源にできる。
出射窓の材料としては、ＰＥＴフィルムを挙げることができる。膜厚は１〜１０μｍとする。
帯電防止層２０５３の材料としては、カーボンを挙げることができる。膜厚は１〜１００ｎｍとする。これにより、ポリイミドの帯電を防止できる。
スペーサー２０５５はリング状の部品であり、スペーサー２０５５の材料としては、ポリスチレン、ＳＵＳ、Ａｌ、Ｃｕを挙げることができる。これにより、環境セルの空間部を気密性を保ちつつ機械的に安定に維持できる。
充填媒体２０４２としては、空気を挙げることができる。
【０１０３】
以上の構成により、１．０〜５．０ｋＶの低電子線エネルギーの電子線を入射窓に照射し、入射窓で電子線励起発光させた光源の光を、試料の中を透過させ、出射窓側からＰＭＴ等の発光測定モジュールにより近接場光学観察をすることができる。
【０１０４】
（本発明の第４〜８の実施形態）
次に、本発明の第４〜８の実施形態である走査電子光学顕微鏡について説明する。
図２２（ｂ）〜（ｅ）は、本発明の第４〜８の実施形態である走査電子光学顕微鏡に備えられる環境セルの一例を示す模式図である。本発明の第４〜８の実施形態である走査電子光学顕微鏡は、図２２（ｂ）〜（ｅ）に示す環境セルを備える他は本発明の第１の実施形態である走査電子光学顕微鏡１０１と同様の構成とされている。なお、比較のため、図２２（ａ）に、本発明の第１の実施形態である走査電子光学顕微鏡１０１の環境セルを示している。
【０１０５】
図２２（ｂ）は、本発明の第４の実施形態である走査電子光学顕微鏡に備えられる環境セルの一例を示す模式図である。本発明の第４の実施形態である走査電子光学顕微鏡の環境セル１２Ｄは、構造層と発光層の積層順序が逆の他は本発明の第１の実施形態である走査電子光学顕微鏡１０１の環境セル１２と同様の構成とされている。
【０１０６】
図２２（ｃ）は、本発明の第５の実施形態である走査電子光学顕微鏡に備えられる環境セルの一例を示す模式図である。本発明の第５の実施形態である走査電子光学顕微鏡の環境セル１２Ｅは、構造層と発光層の代わりに、発光層を兼ねる構造層が備えられている他は本発明の第１の実施形態である走査電子光学顕微鏡１０１の環境セル１２と同様の構成とされている。
【０１０７】
図２２（ｄ）は、本発明の第６の実施形態である走査電子光学顕微鏡に備えられる環境セルの一例を示す模式図である。本発明の第６の実施形態である走査電子光学顕微鏡の環境セル１２Ｆは、構造層の一面側にフレーム部が設けられている他は本発明の第１の実施形態である走査電子光学顕微鏡１０１の環境セル１２と同様の構成とされている。
【０１０８】
図２２（ｅ）は、本発明の第７の実施形態である走査電子光学顕微鏡に備えられる環境セルの一例を示す模式図である。本発明の第７の実施形態である走査電子光学顕微鏡の環境セル１２Ｇは、構造層と発光層の積層順序が逆の他は本発明の第６の実施形態である走査電子光学顕微鏡の環境セル１２Ｆと同様の構成とされている。
【０１０９】
図２２（ｅ）は、本発明の第８の実施形態である走査電子光学顕微鏡に備えられる環境セルの一例を示す模式図である。本発明の第８の実施形態である走査電子光学顕微鏡の環境セル１２Ｈは、構造層と発光層の代わりに、発光層を兼ねる構造層が備えられている他は本発明の第７の実施形態である走査電子光学顕微鏡の環境セル１２Ｇと同様の構成とされている。
【０１１０】
（本発明の第９、１０の実施形態）
次に、本発明の第９、１０の実施形態である走査電子光学顕微鏡について説明する。
図２３（ｄ）〜（ｆ）、（ｇ）〜（ｉ）は、本発明の第９、１０の実施形態である走査電子光学顕微鏡に備えられる環境セルの構造層とフレーム部の組み合わせの一例を示す模式図である。本発明の第９、１０の実施形態である走査電子光学顕微鏡は、図２３（ｄ）〜（ｆ）、（ｇ）〜（ｉ）に示す環境セルの構造層とフレーム部の組み合わせを備える他は本発明の第１の実施形態である走査電子光学顕微鏡１０１と同様の構成とされている。  なお、比較のため、図２３（ａ）〜（ｃ）に、本発明の第１の実施形態である走査電子光学顕微鏡１０１の環境セルの構造層とフレーム部の組み合わせを示している。
なお、図２３（ａ）、（ｄ）、（ｇ）が平面図であり、図２３（ｂ）、（ｅ）、（ｈ）が平面図（ａ）、（ｄ）、（ｇ）の背面図であり、図２３（ｃ）、（ｆ）、（ｉ）が平面図（ａ）、（ｄ）、（ｇ）の一点鎖線における断面図である。
【０１１１】
図２３（ｄ）〜（ｆ）は、本発明の第９の実施形態である走査電子光学顕微鏡に備えられる環境セルの構造層とフレーム部の組み合わせの一例を示す模式図である。本発明の第９の実施形態である走査電子光学顕微鏡の環境セルの構造層とフレーム部の組み合わせはフレーム部に孔部が３×３で形成されている他は本発明の第１の実施形態である走査電子光学顕微鏡の環境セルの構造層とフレーム部の組み合わせと同様の構成とされている。
【０１１２】
図２３（ｇ）〜（ｉ）は、本発明の第１０の実施形態である走査電子光学顕微鏡に備えられる環境セルの構造層とフレーム部の組み合わせの一例を示す模式図である。本発明の第１０の実施形態である走査電子光学顕微鏡の環境セルの構造層とフレーム部の組み合わせは、帯電防止層が省略されている他は本発明の第３の実施形態である走査電子光学顕微鏡の環境セルの構造層とフレーム部の組み合わせと同様の構成とされている。
【０１１３】
本発明の実施形態である近接場光学観察装置１１は、試料を密封保持可能な空間部１９と、空間部１９の一方に設けられた入射窓３０と、空間部１９の他方に設けられた出射窓３４とを備えた環境セル１２と、発光測定モジュールとを有し、前記入射窓が電子線励起により発光可能な発光材料を有している構成なので、環境セルに保持することにより、真空槽内でも液中の、無染色の、非固定の生物試料を測定対象とすることができ、環境セルの窓内の蛍光材料のカソードルミネッセンス光を近接場光源として利用することにより、高分解能で光学観察することができる。
【０１１４】
本発明の実施形態である近接場光学観察装置１１は、入射窓３０に接するようにフレーム部３５が設けられている構成なので、閉じた環境セル内であって、入射窓と出射窓の間に、液中の、無染色の、非固定の生物試料を保持することができ、高分解能で光学観察することができる。
【０１１５】
本発明の実施形態である近接場光学観察装置１１は、フレーム部３５に一面側と他面側を連通するように孔部３５ｃが形成されている構成なので、閉じた環境セル内であって、入射窓と出射窓の間に、液中の、無染色の、非固定の生物試料を保持することができ、高分解能で光学観察することができる。
【０１１６】
本発明の実施形態である近接場光学観察装置１１は、フレーム部３５の一面側に入射窓３０が設けられている構成なので、閉じた環境セル内であって、入射窓と出射窓の間に、液中の、無染色の、非固定の生物試料を保持することができ、高分解能で光学観察することができる。
【０１１７】
本発明の実施形態である近接場光学観察装置１１は、孔部３５が空間部１９の一部である構成なので、閉じた環境セル内であって、入射窓と出射窓の間に、液中の、無染色の、非固定の生物試料を保持することができ、高分解能で光学観察することができる。
【０１１８】
本発明の実施形態である近接場光学観察装置は、フレーム部２０３５の他面側に入射窓２０３０が設けられている構成なので、閉じた環境セル内であって、入射窓と出射窓の間に、液中の、無染色の、非固定の生物試料を保持することができ、高分解能で光学観察することができる。
【０１１９】
本発明の実施形態である近接場光学観察装置１１は、前記フレーム部の他面側に又は前記他面側に離間して出射窓が設けられている構成なので、閉じた環境セル内であって、入射窓と出射窓の間に、液中の、無染色の、非固定の生物試料を保持することができ、高分解能で光学観察することができる。
【０１２０】
本発明の実施形態である近接場光学観察装置１１は、フレーム部１２の一面側と他面側を連通する前記孔部が、入射窓側から出射窓側に向けて広がるよう形成されている構成なので、近接場光源から試料を透過して出射される光を効率よくとらえて、液中の、無染色の、非固定の生物試料を高分解能で光学観察することができる。
【０１２１】
本発明の実施形態である近接場光学観察装置１１は、孔部３５ｃに面する前記フレーム部の壁面が光反射性の高い材料で被覆されている構成なので、環境セル内の試料に影響を与えず、液中の、無染色の、非固定の生物試料を高分解能で光学観察することができる。
【０１２２】
本発明の実施形態である近接場光学観察装置１１は、入射窓３０が、２層以上で形成されており、高強度材料からなる構造層３１と、前記構造層に積層され、電子線励起により発光可能な発光材料を有している発光層３２と、を有している構成なので、構造層により環境セルの強度を確保する一方、発光層内で近接場光源を形成して、液中の、無染色の、非固定の生物試料を高分解能で光学観察することができる。
【０１２３】
本発明の実施形態である近接場光学観察装置は、発光層２０５２自体が、電子線励起により発光可能な発光材料からなる構成なので、環境セル内の試料に影響を与えず、液中の、無染色の、非固定の生物試料を高分解能で光学観察することができる。
【０１２４】
本発明の実施形態である近接場光学観察装置１１は、発光層３２が、前記発光材料に電子線励起により発光可能な別の発光材料が添加されて形成されている構成なので、環境セル内の試料に影響を与えず、液中の、無染色の、非固定の生物試料を高分解能で光学観察することができる。
【０１２５】
本発明の実施形態である近接場光学観察装置１１は、構造層３１が、ＳｉＮ、ＳｉＯ２、ＳｉＣ，Ｓｉ、ポリイミド、パリレン、カーボン、コロジオン、フォルムバール、トリアセチルセルロースのいずれかの高強度材料からなるメンブレンである構成なので、環境セルの強度を確保でき、真空中でも環境セルを破裂させることなく、安定して、無染色の、非固定の生物試料を高分解能で光学観察することができる。
【０１２６】
本発明の実施形態である近接場光学観察装置１１は、入射窓３９の膜厚３０ｔが、５ｎｍ以上５００ｎｍ以下である構成なので、環境セル内の近接場光源から発光測定モジュールまでの距離を短くして、液中の、無染色の、非固定の生物試料を高分解能で光学観察することができる。
【０１２７】
本発明の実施形態である近接場光学観察装置１１は、出射窓３４が、ガラス、ポリエステル、ポリイミド、ＳｉＮ、ＳｉＯ２、ＳｉＣ，Ｓｉ、パリレン、カーボン、コロジオン、フォルムバール、トリアセチルセルロースのいずれかの材料からなる構成なので、近接場光源からの出射光を効率よく発光測定モジュールに伝え、液中の、無染色の、非固定の生物試料を高分解能で光学観察することができる。
【０１２８】
本発明の実施形態である近接場光学観察装置は、入射窓が複数設けられている構成なので、近接場光源からの出射光を効率よく発光測定モジュールに伝え、液中の、無染色の、非固定の生物試料を高分解能で光学観察することができる。
【０１２９】
本発明の実施形態である近接場光学観察装置１１は、発光測定モジュール１３が、前記環境セルの出射窓側に配置されている構成なので、液中の、無染色の、非固定の生物試料を高分解能で光学観察することができる。
【０１３０】
本発明の実施形態である近接場光学観察装置１２１１は、発光測定モジュール１３が、環境セル１２と離間して配置されており、前記環境セルの出射窓側と前記発光測定モジュールの光電面とを結ぶ光路システム１２０２が設けられている構成なので、液中の、無染色の、非固定の生物試料を高分解能で光学観察することができる。
【０１３１】
本発明の実施形態である近接場光学観察装置１２１１は、光路システム１２０１が、レンズ１１２２、１１２３と、ミラー１１１９と、光ファイバ１１２５の群から選択される二以上の光部品を組み合わせて形成されている構成なので、液中の、無染色の、非固定の生物試料を高分解能で光学観察することができる。
【０１３２】
本発明の実施形態である近接場光学観察装置１１、１２１１は、発光測定モジュール１３が光電子倍増管を有するモジュール、分光測定システム、多波長発光測定モジュールのいずれかである構成なので、光電子倍増管を有するモジュールの場合には、近接場光源からの出射光を効率よく発光測定モジュールでとらえて、液中の、無染色の、非固定の生物試料を高分解能で光学観察することができ、２次元的な画像情報に加えて、スペクトルの観点からも試料を分析することができ、カラーの近接場光学観察が可能となる。
【０１３３】
本発明の実施形態である試料含有環境セル作製方法は、一面側と他面側を連通する孔部を有するフレーム部の一面側または他面側に入射窓を設けた第１の基板を用意し、前記入射窓の他面側に試料を付着させてから、前記試料を覆うように充填媒体を滴下する工程Ｓ１と、出射窓を有する第２の基板を用意し、前記出射窓を覆うように充填媒体を滴下する工程Ｓ２と、前記第１の基板と前記第２の基板を充填媒体が混じり合うように重ね合わせる工程Ｓ３とを有する構成なので、入射窓に試料を付着させ、充填媒体で環境セル内を充填して、内部を閉じた系として、液中の、無染色の、非固定の生物試料を含有する環境セルを容易に作製できる。
【０１３４】
本発明の実施形態である試料含有環境セル作製方法は、充填媒体を滴下する工程Ｓ１の前工程として、高強度材料からなる構造層上に発光層をドロップ・コーティングして、入射窓を形成する構成なので、平滑で、均一な発光層を形成でき、液中の、無染色の、非固定の生物試料を高分解能で光学観察することができる。
【０１３５】
本発明の実施形態である試料含有環境セル作製方法は、重ね合わせる工程Ｓ３で、第１の基板又は第２の基板に設けられた充填媒体排出用孔部から、余分な充填媒体を排出・除去してから、前記充填媒体排出用孔部の充填媒体排出側に設けられた封止シールに別の封止シールを重ねて接着する構成なので、充填媒体で環境セル内を完全に充填した、液中の、無染色の、非固定の生物試料を含有する環境セルを容易に作製できる。
【０１３６】
本発明の実施形態である試料含有環境セル作製方法は、重ね合わせる工程Ｓ３後、第１の基板と第２の基板を第３の基板にねじ止め固定する構成なので、内部を閉じた系として、真空槽内で破裂させることない、液中の、無染色の、非固定の生物試料を含有する環境セルを容易に作製できる。
【０１３７】
本発明の実施形態である走査電子光学顕微鏡１０１、１１０２は、近接場光学観察装置１１、１２１１と、電子顕微鏡とを有する構成なので、液中の、無染色の、非固定の生物試料を含有する環境セルが電子顕微鏡の真空槽内に配置され、液中の、無染色の、非固定の生物試料を高分解能で光学観察することができる。
【０１３８】
本発明の実施形態である走査電子光学顕微鏡１０１は、近接場光学観察装置１１が、電子顕微鏡の真空槽内に配置されている構成なので、液中の、無染色の、非固定の生物試料を高分解能で光学観察することができる。
【０１３９】
本発明の実施形態である走査電子光学顕微鏡１０１は、近接場光学観察装置１１の環境セル１２が、環境セル保持部１１０に保持されており、近接場光学観察装置１１の発光測定モジュール１３が、保持部１０９に保持されており、前記保持部に対して前記環境セル保持部の位置合わせ移動機構が備えられている構成なので、環境セル保持部を交換して、容易に試料交換ができる。
【０１４０】
本発明の実施形態である走査電子光学顕微鏡１０１は、前記位置合わせ移動機構により、前記保持部から前記環境セル保持部を取り外して、電子顕微鏡の真空槽１０３に接続された別の真空槽１０５に移動可能である構成なので、環境セル保持部を交換して、容易に試料交換ができる。
【０１４１】
本発明の実施形態である走査電子光学顕微鏡の使用方法は、先に記載の走査電子光学顕微鏡の使用方法であって、環境セルの入射窓の電子線透過率が１％以下となるエネルギーの電子線を環境セルの入射窓に照射する構成なので、液中の、無染色の、非固定の生物試料を含有する環境セルを電子顕微鏡の真空槽内が配置され、液中の、無染色の、非固定の生物試料を痛めたり、破壊することなく、高分解能で光学観察することができる。
【０１４２】
本発明の実施形態である走査電子光学顕微鏡の使用方法は、先に記載の走査電子光学顕微鏡の使用方法であって、０．８ｋＶ以上１．２ｋＶ以下のエネルギーの電子線を環境セルの入射窓に照射する構成なので、液中の、無染色の、非固定の生物試料を含有する環境セルを電子顕微鏡の真空槽内が配置され、液中の、無染色の、非固定の生物試料を痛めたり、破壊することなく、高分解能で光学観察することができる。
【０１４３】
本発明の実施形態である近接場光学観察装置、試料含有環境セル作製方法,走査電子光学顕微鏡及び走査電子光学顕微鏡の使用方法は、上記実施形態に限定されるものではなく、本発明の技術的思想の範囲内で、種々変更して実施することができる。本実施形態の具体例を以下の実施例で示す。しかし、本発明はこれらの実施例に限定されるものではない。
【実施例】
【０１４４】
（試験例１）
近接場光学観察装置の光取り出し効率を高めるために、空間部を規定するフレーム部の傾斜面の光反射効果をシミュレーションした。
図２４は、傾斜角度の光反射効果の評価結果の一例を示す図である。
入射窓（Ｅｎｔｒａｎｃｅ  ｗｉｎｄｏｗ）中の光源からの発光は、空間部の中で、フレーム部の傾斜面で反射され、出射窓（Ｅｘｉｔ  ｗｉｎｄｏｗ）へ出射される。
出射窓中で、一部の光は一面側界面と他面側界面で複数回反射され、側壁方向から放射される。
大部分の光は他面側からＰＭＴ方向に出射され、ＰＭＴの接地窓（Ｓｈｉｅｌｄ  ｗｉｎｄｏｗ）を通過して、ＰＭＴに取り込まれる。
傾斜面の角度を鉛直方向から３５．３度とすることにより、側壁部へ出射される光の割合を小さくして、ＰＭＴに取り込まれる光の割合を大きくし、感度を高めることができた。
【０１４５】
（試験例２）
図２５は、入射窓中での電子線拡散領域のシミュレーション結果の一例を示す図である。
ｔｍは構造層の厚さであり、ｔｅは発光層の厚さである。
図２５では、構造層の厚さｔｍを２０ｎｍ、発光層の厚さｔｅを０ｎｍ、３０ｎｍ、６０ｎｍとした場合に、それぞれ、電子線エネルギー０．６ｋＶ、０．９ｋＶ、１．０ｋＶで入射した場合の電子線の拡散領域を示している。この領域が光源９２となる。図２５の結果は、入射窓の厚さに応じて、適切なエネルギーの電子線を入射すれば、電子線は入射窓を透過せずに内部で停止し、直径数１０ｎｍの近接場光源を形成することを示している。
【０１４６】
（試験例３）
均一で平滑な膜からなる発光層の作製方法の検討を行った。
まず、有機蛍光材料の分散液として、クマリン６（１ｗｔ％）分散ＰＶＫの溶液を調製した。溶媒はクロロホルムにｏ−ジクロロベンゼンを０．１〜１％混合した液を用い、クマリン６（１ｗｔ％）分散ＰＶＫを１０〜１００μｇ／ｍｌの濃度とした。
次に、この分散液を用いて、ドロップ・コーティング法により、メンブレン上に発光層を形成した。マイクロインジェクション量は約０．０５μｌとした。
図２６は、ドロップ・コーティングの外観写真（ａ）及びドロップ・コーティングに用いるピペット先端部の拡大写真（ｂ）である。
図２７は、ドロップ・コーティングの操作写真（ａ）及びドロップ・コーティング面の平滑性評価写真（ｂ）である。
膜厚分布をＦＴＩＲで測定することにより、均一で平滑な膜が得られたことを確認した。
なお、クマリン６の濃度は０．１〜１０ｗｔ％の範囲では、１ｗｔ％の膜が最も発光強度が高かった。
【０１４７】
（試験例４）
構造層の厚さｔｍを２０ｎｍ、発光層の厚さｔｅを０ｎｍ、３０ｎｍ、６０ｎｍとした場合の、電子線エネルギーと電子線の透過率との関係を調べた。
図２８は、その結果を示すグラフである。
発光層の厚さｔｅの増加とともに、透過開始エネルギー値は大きくなった。つまり、発光層の厚さｔｅを厚くするに従い、電子線は貫通しなくなることが分かった。これにより、電子線エネルギー値と、発光層の厚さｔｅを制御することにより、電子線照射による試料の損傷を回避できることが明らかとなった。より具体的には、試料の損傷は、電子線透過率が１％を超えると顕著になるので、電子線エネルギーをそれよりも小さな値と設定すればよい。
図２８には、ｔｅが６０ｎｍまでの範囲では、電子線エネルギーを１．２ｋＶ以下とすれば良いことが示唆されている。一方、ｔｅ＝０ｎｍ（構造層のみ）の結果から、電子線エネルギーが０．７ｋＶでは電子線は構造層をほとんど透過せず、発光層には到達していないので、電子線エネルギーが０．８〜１．２ｋＶの時に、発光が得られ、かつ、試料に１％を超える電子線が照射されない実用領域と求められる。
【０１４８】
（試験例５）
試験例１〜４の結果を利用し、表１に示す設計条件で、実施形態で示した構成の近接場光学観察装置を作製した。第１、２基板本体はステンレス製、第３基板本体はアルミニウム製とした。
【０１４９】
【表１】
2015031515.tif 000003
【０１５０】
図２９は、作製した第１〜第３の基板及び細胞培養用シリコーンリングの写真（ａ）と、第１〜第３の基板の組み合わせ写真（ｂ）、第１〜第３の基板の説明写真（ｃ）である。
【０１５１】
図３０は、電子顕微鏡の電気／光フィードスルー端子の写真（ａ）及び真空槽内部の写真（ｂ）である。
図３１は      、環境セル保持部の写真（ａ）及びその拡大写真（ｂ）である。
図３２は、引き出した環境セル保持部の写真（ａ）及びその拡大写真（ｂ）である。
図３３は、保持部及び環境セル保持部の写真である。
【０１５２】
（試験例６）
次に、これに、実施形態で示した生きた細胞の試料含有環境セル作製方法を用いて、表２に示す条件で、生きた細胞の試料含有環境セルを作製した。
【０１５３】
【表２】
2015031515.tif 000004
【０１５４】
図３４は、第１の基板に細胞培養用シリコーンリングを取り付けてシャーレに配置した写真である。このシリコーンリング内に細胞と培養液を充填し、細胞を培養した。表３は、用いた試料と培養液である。
【０１５５】
【表３】
2015031515.tif 000005
【０１５６】
以上の工程により、発光層上に細胞培養した試料含有環境セルを作製できた。
【０１５７】
次に、試験例５の近接場観察装置の発光測定モジュールを電子顕微鏡の所定の位置に設置した。
次に、位置合わせ可能な移動機構を操作して、保持部から環境セル保持部を、試料交換用チャンバー内に引き出した。
次に、この試料含有環境セルを環境セル保持部に保持してから、電子顕微鏡の真空槽内部の所定の位置に正確に環境セル保持部を移動した。
次に、表４に示す条件で、電子線を照射し、発光測定を行った。
【０１５８】
【表４】
2015031515.tif 000006
【０１５９】
図３５に示す結果が得られた。
図３５（ａ）は、真空槽内に配置した環境セル中の、液中の、無染色の、非固定のヒト肺表皮細胞を本顕微鏡で観察した画像であり、（ｂ）はその説明図である。図３５のスケールバーは１０μｍである。
細胞の発光層表面に密着した領域が周囲よりも明るく観察された。これは双極子放射増強現象により、発光膜の微小光源近傍にある物体、すなわち細胞が周囲の媒質よりも屈折率が高いため、光源からの発光強度が増大し、明るく観察されたと考えられる。また、細胞内の明るさは均一ではなく、わずかではあるが輝度の分布を示した。
【０１６０】
画像フィルタリングを施し、主要な構造を抽出した結果を図３５（ｂ）に示した。破線で示した核の輪郭や、微細な顆粒、細胞内部を縦横に走る繊維状の構造が観察された。この繊維状の構造は細胞骨格が観察されたものと推定される。
双極子放射増強現象が起こるのは、表面から波長の１０分の１程度、すなわち、５０ｎｍ程度までなので、このような骨格構造が、細胞の発光層との付着界面近傍に存在すると考えられる。
【０１６１】
なお、細胞骨格は直径数１０ｎｍであり、これまで染色して蛍光顕微鏡にて観察された事例は多数あるが、回折限界に比べて微細な構造のため、無染色では位相差顕微鏡を用いても観察されていなかった。また、光ファイバプローブを用いるＳＮＯＭでも、無染色では観察されていなかった。
【０１６２】
この観察後に、環境セルを真空槽から取り出し、分解し、二重染色法を施すことにより、この細胞が生きたままであることを確認した。
【０１６３】
図３６（ａ）は、高分解能性観察を実証する結果である。図３６（ａ）は本顕微鏡で得られた画像、図３６（ｂ）は、従来の位相差顕微鏡による画像である。従来の位相差顕微鏡による画像は、高強度照明が可能なためにシグナルノイズ比が高く鮮明となった。しかし、回折限界の影響を受けるために、分解能は必ずしも高くなかった。
【０１６４】
図３６（ａ）では細胞質顆粒が明るい点として観察された。図３６（ｂ）では、細胞質顆粒は暗く見える顆粒として観察された。これらは、よく対応した。
【０１６５】
図３６（ｃ）は、図３６（ａ）、（ｂ）の顆粒のうち特に小さなもの（図中Ａ）の輝度プロファイルである。図３６（ａ）、（ｂ）のスケールバーは１０μｍであり、図３６（ｃ）のグラフの縦軸は画像の輝度であり、横軸は位置である。
図３６（ｃ）に示すように、従来顕微鏡の位相差像では顆粒は数μｍにぼやけて観察され、プロファイルは半値幅としてどこを評価すればよいかわからないほどなだらかであった。
対して、本発明の走査電子光学顕微鏡では回折限界を超える半値幅２０５ｎｍの明瞭な輝点として観察できた。
【０１６６】
このように、液中の、無染色の、非固定の生物試料を、真空槽内に配置した環境セルに保持して、高分解能で光学観察することができた。これにより、走査電子光学顕微鏡（ＳＥＯＭ）として利用できることを明らかにした。
【０１６７】
（試験例７）
環境セルと発光測定モジュール（分光測定システム）との間に光路システムを配置して、本発明の第２の実施形態に示す走査電子光学顕微鏡を作製した。発光層の材料としてはクマリンを分散させたＰＶＫを用いた。
【０１６８】
図３７は、このシステムで測定したスペクトルである。試料が吸収を示さない場所にて、電子線エネルギーを０．６〜１．５ｋＶまで変えてスペクトルを測定した。
電子線エネルギーが０．６ｋＶの時には、ＳｉＮの微弱で波長域の広いＣＬが観測された。これは、電子線は構造層内部で停止したためと考えられる。
加速電圧を上げると、波長５２０ｎｍをピークとするクマリンの発光の立ち上がりが観察された。これにより、電子が発光層にまで拡散したことが分かった。
【０１６９】
２次元的な画像情報に加えて、スペクトルの観点からも試料を分析することができた。
試料がまったく吸収を示さない場合には、観測されるスペクトルは単に発光層のＣＬスペクトルとなった。試料が特定の波長を吸収すれば、その波長の強度は減少した。
【０１７０】
（試験例８〜１５）
表５に示す無機蛍光体やその他の有機蛍光体からなる試料を入射窓の材料として用いた他は試験例７と同様にして、本発明の第２の実施形態に示す走査電子光学顕微鏡により、スペクトル測定を行った。
【０１７１】
【表５】
2015031515.tif 000007
【０１７２】
図３８は、その結果を示すスペクトルであって、全体のスペクトル（ａ）と拡大スペクトル（ｂ）、（ｃ）である。試験例７の結果も合わせて表示してある。試験例７のスペクトル強度が最も大きく、試験例１４のスペクトル強度が最も小さかった。
【０１７３】
（試験例１６）
本発明の第３の実施形態の図２１に示す環境セルを作製した。
メッシュ２０５５の材料としては、ステンレスを用い、膜厚は２５μｍとした。開口は正方形とし、１辺３４０μｍとした。
発光層２０５２の材料としては、ポリイミドメンブレンを用い、膜厚は２００ｎｍとした。
出射窓の材料としては、ＰＥＴフィルムを用い、膜厚は１．５μｍとした。
帯電防止層２０５３の材料としては、カーボンを用い、膜厚は１０ｎｍとした。
充填媒体２０４２としては、空気を用いた。
試料２０４１としては直径６０ｎｍの金ナノ粒子を用いた。
【０１７４】
以上の構成により、３．０ｋＶの低電子線エネルギーの電子線を入射窓に照射し、入射窓を構成するポリイミドで電子線励起発光させたピーク波長５５０ｎｍの光源の光を、試料の中を透過させ、出射窓側からＰＭＴ等の発光測定モジュールにより近接場光学観察をすることができる。
【０１７５】
図３９は、本顕微鏡で得られた画像である。図３９のスケールバーは１μｍである。
金は、青〜緑域にて吸収の大きな材料であるので、この場合には双極子放射増強現象ではなく、エネルギー移動によるＣＬの消光を起こした。
そのため、周囲に比べて暗く見えた。
この画像では約２００ｎｍに見えている。個々の粒子は６０ｎｍなので、これは１個の粒子ではなく、数個の粒子のクラスタであると思われる。個々の金ナノ粒子が識別できるほどの分解能はなかった。これは発光層として用いているポリイミドメンブレンの膜厚が２００ｎｍで、発光領域の大きさも同程度となるので、分解能が約２００ｎｍに制限されたためと考えられる。しかし、２００ｎｍというサイズは回折限界を超えており、図３９もまた、本顕微鏡で従来の光学顕微鏡を超える解像度が得られることを実証する結果である。
【０１７６】
以上により、液中の生物試料に限らず、様々な環境中の多様な試料を、回折限界の影響を受けずに高分解能で光学観察することができ、走査電子光学顕微鏡として利用できることを明らかにした。
なお、表６に、本明細書で用いた材料名とその略称の関係を示す。
【０１７７】
【表６】
2015031515.tif 000008
【産業上の利用可能性】
【０１７８】
本発明の近接場光学観察装置、試料含有環境セル作製方法及び走査電子光学顕微鏡は、液中の、無染色の、非固定の生物試料を高分解能で光学観察可能な近接場光学観察装置、その試料含有環境セル作製方法及び走査電子光学顕微鏡に関するものであり、高分解光学顕微鏡産業、生物試料をそのまま高分解で観察可能な光学顕微鏡産業において利用可能性がある。
【符号の説明】
【０１７９】
１１…近接場光学観察装置、１２…環境セル、１３…発光測定モジュール、１３ａ…光電面、１９…空間部、２１…第１基板、２１Ａ…第１基板本体、２１ｃ１…孔部、２１ｃ２…孔部、２２…第２基板、２２Ａ…第２基板本体、２２ｃ１…孔部、２２ｃ２…充填媒体排出用孔部、２２ｃ３…孔部、２２ｃ４…孔部、２３Ａ…第３基板本体、２３ｃ１…孔部、２３ｃ２…孔部、２３ｃ３…孔部、２３ｃ４…孔部、２３…第３基板、２３Ａ…第３基板本体、２３ｃ１…孔部、２３ｃ２…孔部、３０…入射窓、３０ｔ…入射窓膜厚、３１…構造層、３２…発光層、３４…出射窓、３５…フレーム部、３５ｃ…孔部、３６…ねじ、３７…Ｏリング、３８…封止シール、３８Ａ…封止シール、３８Ａｃ…孔部、３８Ｂ…封止シール、４１…試料、４２…充填媒体、４５…シリコーンリング、４６…培養液、４７…細胞、９１…電子線、９１ａ…電子線走査方向、９２…光源（近接場光源）、９３…光、１０１…走査電子光学顕微鏡（ＳＥＯＭ）、１０２…電子源（電子銃）、１０３…真空槽、１０４…走査コイル、１０５…真空槽、１０８…シャッター、１０９…保持部、１１０…環境セル保持部、１２１…電子銃制御回路、１２２…走査信号制御回路、１２３…電子線照射制御回路、１２４…光検出器電源回路、１２５…光信号整形回路、１２６…２次電子信号整形回路、１２７…２次電子検出器、１２８…制御ＰＣ、１２９…モニター、１１０２…走査電子光学顕微鏡（ＳＥＯＭ）、１２０１…光路システム、１１１３、１１１４、１１１５…光検出器、１１１７、１１１８…ダイクロイックミラー、１１１９…ミラー、１１２１…レンズ、１１２２…色収差補正対物レンズ、１１２３…色収差補正レンズ、１１２５…光ファイバ、２０１２…環境セル、２０１９…空間部、２０３０…入射窓、２０３５…フレーム部、２０３４…出射窓、２０４１…試料、２０４２…充填媒体、２０５１…支持基板、２０５２…発光層、２０５３…帯電防止層、２０５５…スペーサー。
【図１】
2015031515.tif 000009
【図２】
2015031515.tif 000010
【図３】
2015031515.tif 000011
【図４】
2015031515.tif 000012
【図５】
2015031515.tif 000013
【図６】
2015031515.tif 000014
【図７】
2015031515.tif 000015
【図８】
2015031515.tif 000016
【図９】
2015031515.tif 000017
【図１０】
2015031515.tif 000018
【図１１】
2015031515.tif 000019
【図１２】
2015031515.tif 000020
【図１３】
2015031515.tif 000021
【図１４】
2015031515.tif 000022
【図１５】
2015031515.tif 000023
【図１６】
2015031515.tif 000024
【図１７】
2015031515.tif 000025
【図１８】
2015031515.tif 000026
【図１９】
2015031515.tif 000027
【図２０】
2015031515.tif 000028
【図２１】
2015031515.tif 000029
【図２２】
2015031515.tif 000030
【図２３】
2015031515.tif 000031
【図２４】
2015031515.tif 000032
【図２５】
2015031515.tif 000033
【図２６】
2015031515.tif 000034
【図２７】
2015031515.tif 000035
【図２８】
2015031515.tif 000036
【図２９】
2015031515.tif 000037
【図３０】
2015031515.tif 000038
【図３１】
2015031515.tif 000039
【図３２】
2015031515.tif 000040
【図３３】
2015031515.tif 000041
【図３４】
2015031515.tif 000042
【図３５】
2015031515.tif 000043
【図３６】
2015031515.tif 000044
【図３７】
2015031515.tif 000045
【図３８】
2015031515.tif 000046
【図３９】
2015031515.tif 000047